(57)【要約】【課題】１回路分の主回路長が長く、絶縁距離を確保する必要がある部分が多くなるため、スイッチギヤの縮小化を図ることができないという課題がある。【解決手段】各相が垂直方向に配列された三相母線１１と、三相母線１１と平行に配置され、三相母線１１の各相と相対するよう各相が垂直方向に配列された遮断器１２と、遮断器１２の各相にそれぞれ設けられ、遮断器１２の各相と三相母線１１の各相とをそれぞれ接続する一次側接続体１３と、遮断器１２の各相にそれぞれ設けられ、一次側接続体１３より短く構成された二次側接続体１６と、三相母線１１と平行に配列され、一方側が垂直方向に配列された二次側接続体１６のそれぞれに接続され、他方側が外線ケーブルに接続される外線接続用導体１７とを備えたものである。【選択図】図１
2010213532.tif 000002
【特許請求の範囲】
【請求項１】
各相が垂直方向に配列された三相母線と、前記三相母線と平行に配置され、前記三相母線の各相と相対するよう各相が垂直方向に配列された遮断器と、前記遮断器の各相にそれぞれ設けられ、前記遮断器の各相と前記三相母線の各相とをそれぞれ接続する一次側接続体と、前記遮断器の各相にそれぞれ設けられ、前記一次側接続体より短く構成された二次側接続体と、前記三相母線と平行に配列され、一方側が垂直方向に配列された前記二次側接続体のそれぞれに接続され、他方側が外線ケーブルに接続される外線接続用導体とを備えたことを特徴とするスイッチギヤ。
【請求項２】
各相が垂直方向に配列された三相母線と、前記三相母線と平行に配置され、前記三相母線の各相と相対するよう各相が垂直方向に配列された遮断器と、前記遮断器の各相にそれぞれ設けられ、前記遮断器の各相と前記三相母線の各相とをそれぞれ接続する一次側接続体と、前記遮断器の各相にそれぞれ設けられ、前記一次側接続体より短く構成された二次側接続体と、前記三相母線と平行に配列され、一方側が垂直方向に配列された前記二次側接続体のそれぞれに接続され、他方側が前記三相母線と直交する方向に折曲され、外線ケーブルに接続される外線接続用導体とを備えたことを特徴とするスイッチギヤ。
【請求項３】
各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第１の一次側接続体と、前記第１の遮断器の各相にそれぞれ設けられ、前記第１の一次側接続体より短く構成された第１の二次側接続体と、前記三相母線と平行に配列され、一方側が垂直方向に配列された前記第１の二次側接続体のそれぞれに接続され、他方側が外線ケーブルに接続される第１の外線接続用導体と、前記三相母線と平行でかつ前記第１の遮断器と前記三相母線を介して相対向して配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が外線ケーブルに接続される第２の外線接続用導体とを備えたことを特徴とするスイッチギヤ。
【請求項４】
各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第1の一次側接続体と、前記第１の遮断器の各相にそれぞれ設けられ、前記第1の一次側接続体より短く構成された第１の二次側接続体と、前記三相母線と平行に配列され、一方側が垂直方向に配列された前記第1の二次側接続体のそれぞれに接続され、他方側
が前記三相母線と直交する方向に折曲され、外線ケーブルに接続される第１の外線接続用導体と、前記三相母線と平行でかつ前記第１の遮断器と前記三相母線を介して相対向して配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が前記三相母線と直交する方向に折曲され、外線ケーブルに接続される第２の外線接続用導体とを備えたことを特徴とするスイッチギヤ。
【請求項５】
各相が垂直方向に配列された三相母線と、前記三相母線と平行に配置され、前記三相母
線の各相と相対するよう各相が垂直方向に配列された第１の遮断器と、前記第１の遮断器の各相にそれぞれ設けられ、前記第１の遮断器の各相と前記三相母線の各相とをそれぞれ接続する第１の一次側接続体と、前記第１の遮断器の各相にそれぞれ設けられ、前記第１の一次側接続体より短く構成された第１の二次側接続体と、前記三相母線と平行に配列され、一方側が垂直方向に配列された前記第１の二次側接続体のそれぞれに接続され、他方側が外線ケーブルに接続される第１の外線接続用導体と、前記三相母線と平行でかつ前記三相母線の伸長方向に前記第１の遮断器と同列方向に配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が外線ケーブルに接続される第２の外線接続用導体とを備えたことを特徴とするスイッチギヤ。
【請求項６】
各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第1の一次側接続体と、前記第１の遮断器の各相にそれぞれ設けられ、前記第1の一次側接続体より短く構成された第１の二次側接続体と、前記三相母線と平行に配列され、一方側が垂直方向に配列された前記第1の二次側接続体のそれぞれに接続され、他方側
が前記三相母線と直交する方向に折曲され、外線ケーブルに接続される第１の外線接続用導体と、前記三相母線と平行でかつ前記三相母線の伸長方向に前記第１の遮断器と同列方向に配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が前記三相母線と直交する方向に折曲され、外線ケーブルに接続される第２の外線接続用導体とを備えたことを特徴とするスイッチギヤ。
【請求項７】
前記各請求項において、各構成要素により構成される１回路の主回路モジュールを垂直方向に複数段積層して配置されることを特徴とする請求項１乃至６のいずれか１項に記載のスイッチギヤ。
【請求項８】
前記各外線接続用導体の他方側は、垂直方向の上から順次短く構成したことを特徴とする請求項１乃至７のいずれか１項に記載のスイッチギヤ。
【発明の詳細な説明】
【技術分野】
【０００１】
この発明は、例えば引出形遮断器のような引出機器を収納するスイッチギヤに関するものであり、特に主回路部の構成に関するものである。
【背景技術】
【０００２】
従来のスイッチギヤの構成には、一般的に次の２通りの構造がある。まず一つ目の構造は、スイッチギヤの高さ方向のほぼ中央部に母線を水平方向に配置し、その母線を挟んで上下方向に引出形の真空遮断器を収納するための固定枠が配置される。この固定枠の端子は通常左からＲ，Ｓ，Ｔ相の順で固定されており、その一次側（電源側）の端子と母線を分岐導体で接続している。また、この固定枠の二次側（負荷側）の端子から裏面側に設けられている外線ケーブル接続点まで導体で接続している。
【０００３】
二つ目の構造は、スイッチギヤの高さ方向の上部あるいは下部に母線を水平方向に配置し、その母線の下側もしくは上側に引出形の真空遮断器を収納するための固定枠が段積配置される。この固定枠の端子は通常左からＲ，Ｓ，Ｔ相の順で固定されており、その一次側（電源側）の端子と母線を分岐導体で接続している。また、この固定枠の二次側（負荷側）の端子から固定枠の下側または側面側に設けられている外線ケーブル接続点まで導体で接続している。
【０００４】
両者のスイッチギヤの構造は、引出形の真空遮断器を収納する固定枠を上下に２段配置することで１面に２回路分を収納しているが、上下に配置することによりスイッチギヤの高さ寸法を縮小化することが困難となっている。つまり真空遮断器、固定枠によって盤高さが決められている。
【０００５】
また、母線が水平に配置されているのに対して、真空遮断器及び真空遮断器を収納する固定枠の端子は左からＲ，Ｓ，Ｔ相と垂直に配置されているため、母線と固定枠の一次側の端子を接続するために分岐導体が必要となっている。更に固定枠の二次側の端子から外線ケーブル接続点まで導体を引き回している。分岐導体及び導体の長さが長くなればなるほど、主回路抵抗が高く、通電時の発熱損失が大きくなると共に、その導体が接続されている部位は相間あるいは対地間の絶縁距離を確保する必要があり、そのためにその部分の縮小化を図ることができない。
【０００６】
ところで、図２２および図２３は、上述した従来の二つ目の構造の類似構造を示すものであり、スイッチギヤの高さ方向の上部に水平母線５をそれぞれ水平方向に配置し、それら水平母線５の下側に、遮断器本体２を収納する引出ユニット３（固定枠に相当）を３段積み配置されたものであり、各水平母線５はそれぞれ分岐導体１０により各垂直導体９に接続され、各垂直導体９は引出ユニット３の後部の電源側口出し端子４Ａと接続され、引出ユニット３の後部の負荷側口出し端子４Ｂは変流器６を介して負荷側ケーブル７と接続されている。垂直導体９と引出ユニット３の後部の負荷側口出し端子４Ｂとの間に絶縁距離を確保しなければならない。
【先行技術文献】
【特許文献】
【０００７】
【特許文献１】特開平４−４２７１０号公報
【発明の概要】
【発明が解決しようとする課題】
【０００８】
上述した従来のスイッチギヤは、水平方向にＲ，Ｓ，Ｔ相の順で絶縁距離を確保した状態で配置されている母線に対して、真空遮断器は左からＲ，Ｓ，Ｔ相と母線に対して垂直に配置されている。この真空遮断器を主回路に接続する為に、固定枠が必要となる。この固定枠に固定されている一次側（電源側）端子と母線とを分岐導体で接続している。また、固定枠の二次側（負荷側）端子と外線ケーブル接続端子とを導体で接続している。これにより、固定枠に真空遮断器を接続することができ、母線から真空遮断器を通り外線ケーブルまでの１回路分の主回路を形成する。従って、この１回路分の主回路長が長く、絶縁距離を確保する必要がある部分が多くなるため、スイッチギヤの縮小化を図ることができないという課題がある。
【０００９】
また、この１回路分の主回路長が長く、絶縁距離を確保する必要がある部分が多くなることにより、スイッチギヤの外形寸法を大きく変えずに多数回路、例えば４回路以上の回路を収納できるスイッチギヤは製作することができないという課題がある。
【００１０】
この発明は上記のような課題を解決するためになされたものであり、装置の縮小化を図ることができるスイッチギヤを提供することを目的とする。
【課題を解決するための手段】
【００１１】
この発明に係わるスイッチギヤは、各相が垂直方向に配列された三相母線と、前記三相母線と平行に配置され、前記三相母線の各相と相対するよう各相が垂直方向に配列された遮断器と、前記遮断器の各相にそれぞれ設けられ、前記遮断器の各相と前記三相母線の各相とをそれぞれ接続する一次側接続体と、前記遮断器の各相にそれぞれ設けられ、前記一次側接続体より短く構成された二次側接続体と、前記三相母線と平行に配列され、一方側が垂直方向に配列された前記二次側接続体のそれぞれに接続され、他方側が外線ケーブルに接続される外線接続用導体とを備えたものである。
【００１２】
また、各相が垂直方向に配列された三相母線と、前記三相母線と平行に配置され、前記三相母線の各相と相対するよう各相が垂直方向に配列された遮断器と、前記遮断器の各相にそれぞれ設けられ、前記遮断器の各相と前記三相母線の各相とをそれぞれ接続する一次側接続体と、前記遮断器の各相にそれぞれ設けられ、前記一次側接続体より短く構成された二次側接続体と、前記三相母線と平行に配列され、一方側が垂直方向に配列された前記二次側接続体のそれぞれに接続され、他方側が前記三相母線と直交する方向に折曲され、外線ケーブルに接続される外線接続用導体とを備えたものである。
【００１３】
また、各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第１の一次側接続体と、前記第１の遮断器の各相にそれぞれ設けられ、前記第１の一次側接続体より短く構成された第１の二次側接続体と、前記三相母線と平行に配列され、一方側が垂直方向に配列された前記第１の二次側接続体のそれぞれに接続され、他方側が外線ケーブルに接続される第１の外線接続用導体と、前記三相母線と平行でかつ前記第１の遮断器と前記三相母線を介して相対向して配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が外線ケーブルに接続される第２の外線接続用導体とを備えたものである。
【００１４】
各相が垂直方向に配列された三相母線と、前記三相母線と平行に配置され、前記三相母
線の各相と相対するよう各相が垂直方向に配列された第１の遮断器と、前記第１の遮断器の各相にそれぞれ設けられ、前記第１の遮断器の各相と前記三相母線の各相とをそれぞれ接続する第1の一次側接続体と、前記第１の遮断器の各相にそれぞれ設けられ、前記第1の一次側接続体より短く構成された第１の二次側接続体と、前記三相母線と平行に配列され、一方側が垂直方向に配列された前記第1の二次側接続体のそれぞれに接続され、他方側
が前記三相母線と直交する方向に折曲され、外線ケーブルに接続される第１の外線接続用導体と、前記三相母線と平行でかつ前記第１の遮断器と前記三相母線を介して相対向して配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が前記三相母線と直交する方向に折曲され、外線ケーブルに接続される第２の外線接続用導体とを備えたものである。
【００１５】
また、各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第１の一次側接続体と、前記第１の遮断器の各相にそれぞれ設けられ、前記第１の一次側接続体より短く構成された第１の二次側接続体と、前記三相母線と平行に配列され、一方側が垂直方向に配列された前記第１の二次側接続体のそれぞれに接続され、他方側が外線ケーブルに接続される第１の外線接続用導体と、前記三相母線と平行でかつ前記三相母線の伸長方向に前記第１の遮断器と同列方向に配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が外線ケーブルに接続される第２の外線接続用導体とを備えたものである。
【００１６】
また、各相が垂直方向に配列された三相母線と、前記三相母線と平行に配置され、前記三相母線の各相と相対するよう各相が垂直方向に配列された第１の遮断器と、前記第１の遮断器の各相にそれぞれ設けられ、前記第１の遮断器の各相と前記三相母線の各相とをそれぞれ接続する第1の一次側接続体と、前記第１の遮断器の各相にそれぞれ設けられ、前
記第1の一次側接続体より短く構成された第１の二次側接続体と、前記三相母線と平行に
配列され、一方側が垂直方向に配列された前記第1の二次側接続体のそれぞれに接続され
、他方側が前記三相母線と直交する方向に折曲され、外線ケーブルに接続される第１の外線接続用導体と、前記三相母線と平行でかつ前記三相母線の伸長方向に前記第１の遮断器と同列方向に配置され、前記三相母線の各相と相対するよう各相が垂直方向に配列された第２の遮断器と、前記第２の遮断器の各相にそれぞれ設けられ、前記第２の遮断器の各相と前記三相母線の各相とをそれぞれ接続する第２の一次側接続体と、前記第２の遮断器の各相にそれぞれ設けられ、前記第２の一次側接続体より短く構成された第２の二次側接続体と、前記三相母線と平行に配列され、一方側が垂直方向に配列された前記第２の二次側接続体のそれぞれに接続され、他方側が前記三相母線と直交する方向に折曲され、外線ケーブルに接続される第２の外線接続用導体とを備えたものである。
【発明の効果】
【００１７】
この発明に係わるスイッチギヤは、各相が垂直方向に配列された三相母線と、この三相母線と平行に配置され、当該三相母線の各相と相対するよう各相が垂直方向に配列された遮断器と、この遮断器の各相にそれぞれ設けられ、当該遮断器の各相と当該三相母線の各
相とをそれぞれ接続する一次側接続体と、当該遮断器の各相にそれぞれ設けられ、当該一次側接続体より短く構成された二次側接続体と、当該三相母線と平行に配列され、一方側が垂直方向に配列された当該二次側接続体のそれぞれに接続され、他方側が外線ケーブルに接続される外線接続用導体とを備えた構成としたことにより、装置の縮小化を図ることができるスイッチギヤを得ることができる。
【図面の簡単な説明】
【００１８】
【図１】この発明の実施の形態１に係わるスイッチギヤにおける主回路モジュールの構成を示す斜視図である。
【図２】この発明の実施の形態１に係わるスイッチギヤの要部を示す左側面図である。
【図３】この発明の実施の形態１に係わるスイッチギヤの要部を示す右側面図である。
【図４】この発明の実施の形態１に係わるスイッチギヤにおける外部接続用導体を示す平面図である。
【図５】この発明の実施の形態１に係わるスイッチギヤを示す斜視図である。
【００１９】
【図６】この発明の実施の形態２に係わるスイッチギヤにおける主回路モジュールの構成を示す斜視図である。
【図７】この発明の実施の形態２に係わるスイッチギヤにおける外部接続用導体を示す平面図である。
【図８】この発明の実施の形態２に係わるスイッチギヤを示す斜視図である。
【００２０】
【図９】この発明の実施の形態３に係わるスイッチギヤを示す斜視図である。
【図１０】この発明の実施の形態３に係わるスイッチギヤにおける第１の主回路モジュールの要部を示す左側面図である。
【図１１】この発明の実施の形態３に係わるスイッチギヤにおける第１の主回路モジュールの要部を示す右側面図である。
【図１２】この発明の実施の形態３に係わるスイッチギヤにおける第２の主回路モジュールの要部を示す左側面図である。
【図１３】この発明の実施の形態３に係わるスイッチギヤにおける第２の主回路モジュールの要部を示す右側面図である。
【図１４】この発明の実施の形態３に係わるスイッチギヤにおける第１の外部接続用導体を示す平面図である。
【図１５】この発明の実施の形態３に係わるスイッチギヤにおける第２の外部接続用導体を示す平面図である。
【００２１】
【図１６】この発明の実施の形態５に係わるスイッチギヤを示す斜視図である。
【図１７】この発明の実施の形態５に係わるスイッチギヤにおける第２の主回路モジュールの要部を示す左側面図である。
【図１８】この発明の実施の形態５に係わるスイッチギヤにおける第２の主回路モジュールの要部を示す右側面図である。
【図１９】この発明の実施の形態５に係わるスイッチギヤにおける第２の外部接続用導体を示す平面図である。
【００２２】
【図２０】この発明の実施の形態７に係わるスイッチギヤを示す斜視図である。
【図２１】この発明の実施の形態８に係わるスイッチギヤを示す斜視図である。
【図２２】従来のスイッチギヤを示す構成図である。
【図２３】従来の図２２のＥ−Ｅ線における断面図である。
【発明を実施するための形態】
【００２３】
実施の形態１.
以下、この発明の実施の形態１を図１ないし図５に基づいて説明する。図１はこの実施の形態１に係わるスイッチギヤにおける主回路モジュールの構成を示す斜視図である。図２はこの発明の実施の形態１に係わるスイッチギヤの要部を示す左側面図である。図３はこの発明の実施の形態１に係わるスイッチギヤの要部を示す右側面図である。図４はこの発明の実施の形態１に係わるスイッチギヤにおける外部接続用導体を示す平面図である。図５はこの発明の実施の形態１における１回路あたりの主回路モジュールを収納したスイッチギヤの構成を示す斜視図である。また、図は一例として、図示しない外線ケーブルが盤の下から引き込まれる構成の場合を示す。
【００２４】
これら各図において、１１は各相１１ａ，１１ｂ，１１ｃが垂直方向に配列された三相母線であり、盤内の三相母線１１自身の長さを短くするために、各相１１ａ，１１ｂ，１１ｃはそれぞれ盤幅方向に水平方向に配置しており、例えば、上からＲ相１１ａ，Ｓ相１１ｂ，Ｔ相１１ｃの順番で配置されている。１２は三相母線１１と平行に配置され、三相母線１１のＲ相１１ａ，Ｓ相１１ｂ，Ｔ相１１ｃと相対するよう上からＲ相１２ａ，Ｓ相１２ｂ，Ｔ相１２ｃの順番で垂直方向に配列された例えば真空遮断器からなる遮断器（以下、真空遮断器と称す）である。１３は真空遮断器１２のＲ相１２ａ，Ｓ相１２ｂ，Ｔ相１２ｃにそれぞれ設けられ、真空遮断器１２のＲ相１２ａ，Ｓ相１２ｂ，Ｔ相１２ｃと三相母線１１のＲ相１１ａ，Ｓ相１１ｂ，Ｔ相１１ｃとをそれぞれ接続する一次側（電源側）接続体であり、直接三相母線１１のＲ相１１ａ，Ｓ相１１ｂ，Ｔ相１１ｃにそれぞれ接続される接触子１４と、真空遮断器１２のＲ相１２ａ，Ｓ相１２ｂ，Ｔ相１２ｃと各接触子１４とをそれぞれ接続する一次側導体１５とにより構成されている。
【００２５】
１６は真空遮断器１２のＲ相１２ａ，Ｓ相１２ｂ，Ｔ相１２ｃにそれぞれ設けられ、一次側接続体１３より短く構成された二次側（負荷側）接続体であり、上からＲ相，Ｓ相，Ｔ相の順番で垂直方向に配列される。１７は三相母線１１と平行に配列され、上からＲ相１７ａ，Ｓ相１７ｂ，Ｔ相１７ｃの順番で垂直方向に配列された外線接続用導体であり、一方側Ｒ相１７ａ１，Ｓ相１７ｂ１，Ｔ相１７ｃ１が垂直方向に配列された二次側接続体１６のＲ相，Ｓ相，Ｔ相にそれぞれ接続され、他方側Ｒ相１７ａ２，Ｓ相１７ｂ２，Ｔ相１７ｃ２が図示しない外線ケーブルに接続される。
【００２６】
また、外線接続用導体１７の他方側Ｒ相１７ａ２，Ｓ相１７ｂ２，Ｔ相１７ｃ２は同じ長さにすることもできるが、図は一例として、一番上側に位置する外線接続用導体１７の他方側のＲ相１７ａ２を一番長く構成し、Ｓ相１７ｂ２はＲ相１７ａ２より短く構成し、Ｔ相１７ｃ２はＳ相１７ｂ２よりさらに短く構成した場合を示しており、三相母線１１の伸長方向において、外線ケーブル接続部１８の位置をずらせている。すなわち、外線ケーブル接続部１８の位置が垂直方向に同一とならないようにしている。なお、このように主回路モジュールが構成された主回路導体に流れる電流を計測するために、計器用変流器（図示せず）や計器用変流器と零相変流器を一体注型した複合形変流器（図示せず）が外線接続用導体１７の他方側Ｒ相１７ａ２，Ｓ相１７ｂ２，Ｔ相１７ｃ２の近傍に配置される。
【００２７】
次に動作について説明する。三相母線１１が上からＲ相１１ａ，Ｓ相１１ｂ，Ｔ相１１ｃの順番で垂直方向に配置し、真空遮断器１２が三相母線１１と平行に配置され、三相母線１１のＲ相１１ａ，Ｓ相１１ｂ，Ｔ相１１ｃと相対するよう上からＲ相１２ａ，Ｓ相１２ｂ，Ｔ相１２ｃの順番で垂直方向に配列している。真空遮断器１２のＲ相１２ａ，Ｓ相１２ｂ，Ｔ相１２ｃと三相母線１１のＲ相１１ａ，Ｓ相１１ｂ，Ｔ相１１ｃとを接触子１４と一次側導体１５とから構成される一次側接続体１３によりそれぞれ接続する。一次側接続体１３より短く構成され、真空遮断器１２のＲ相１２ａ，Ｓ相１２ｂ，Ｔ相１２ｃに
Ｒ相，Ｓ相，Ｔ相がそれぞれ設けられた二次側接続体１６と三相母線１１と平行に配列され、上からＲ相１７ａ，Ｓ相１７ｂ，Ｔ相１７ｃの順番で垂直方向に配列された外線接続用導体１７の一方側Ｒ相１７ａ１，Ｓ相１７ｂ１，Ｔ相１７ｃ１とをそれぞれ接続する。そして、外線接続用導体１７の他方側Ｒ相１７ａ２，Ｓ相１７ｂ２，Ｔ相１７ｃ２が図示しない外線ケーブルに接続される。
【００２８】
以上のように、この実施の形態１によれば、上述した従来装置のような分岐導体を削減し、外線ケーブル接続部までの導体長を最短化することで母線から真空遮断器を通り外線ケーブルまでの１回路分の主回路長を最短化でき、装置の縮小化が図れるスイッチギヤを得ることができる。また、主回路で発生する発熱損失を著しく低減することができる。
【００２９】
また、外線接続用導体１７の他方側Ｒ相１７ａ２，Ｓ相１７ｂ２，Ｔ相１７ｃ２は同じ長さにすることもできるが、この実施の形態１においては、図４（ａ）〜（ｃ）も明らかなように、一番上側に位置する外線接続用導体１７の他方側のＲ相１７ａ２を一番長く構成し、Ｓ相１７ｂ２はＲ相１７ａ２より短く構成し、Ｔ相１７ｃ２はＳ相１７ｂ２よりさらに短く構成したことにより、三相母線１１の伸長方向において、外線ケーブル接続部１８の位置をずらせて、外線ケーブル接続部１８の位置が垂直方向に同一とならないようにしている。これにより、外線接続用導体１７の他方側Ｒ相１７ａ２，Ｓ相１７ｂ２，Ｔ相１７ｃ２と図示しない外線ケーブルとの接続作業が極めて容易に行うことができ、外線ケーブルの接続作業を著しく効率的に改善することができる。
【００３０】
ところで、図５はこの発明の実施の形態１における１回路あたりの主回路モジュールを収納したスイッチギヤの構成を示したが、このような主回路モジュールを垂直方向に複数段積層して配置するようにしてもよい。
【００３１】
実施の形態２.
この発明の実施の形態２を図６ないし図８に基づいて説明する。図６はこの実施の形態２に係わるスイッチギヤにおける主回路モジュールの構成を示す斜視図である。図７はこの発明の実施の形態２に係わるスイッチギヤにおける外部接続用導体を示す平面図である。図８はこの発明の実施の形態２における１回路あたりの主回路モジュールを収納したスイッチギヤの構成を示す斜視図である。また、図は一例として、図示しない外線ケーブルが盤の下から引き込まれる構成の場合を示す。
【００３２】
これら各図において、１１は三相母線、１１ａ，１１ｂ，１１ｃは三相母線１１のＲ相，Ｓ相，Ｔ相、１２は真空遮断器、１２ａ，１２ｂ，１２ｃは真空遮断器１２のＲ相，Ｓ相，Ｔ相、１３は一次側接続体、１４は接触子、１５は一次側導体、１６は二次側接続体１６であり、上からＲ相，Ｓ相，Ｔ相の順番で垂直方向に配列される。
【００３３】
１７は三相母線１１と平行に配列され、上からＲ相１７ａ，Ｓ相１７ｂ，Ｔ相１７ｃの順番で垂直方向に配列された外線接続用導体であり、一方側Ｒ相１７ａ１，Ｓ相１７ｂ１，Ｔ相１７ｃ１が垂直方向に配列された二次側接続体１６のＲ相，Ｓ相，Ｔ相にそれぞれ接続され、他方側Ｒ相１７ａ２，Ｓ相１７ｂ２，Ｔ相１７ｃ２が三相母線１１と直交する方向、すなわち、真空遮断器１２側に折曲され、図示しない外線ケーブルに接続される。
【００３４】
また、外線接続用導体１７の他方側Ｒ相１７ａ２，Ｓ相１７ｂ２，Ｔ相１７ｃ２は同じ長さにすることもできるが、図は一例として、一番上側に位置する外線接続用導体１７の他方側のＲ相１７ａ２を一番長く構成し、Ｓ相１７ｂ２はＲ相１７ａ２より短く構成し、Ｔ相１７ｃ２はＳ相１７ｂ２よりさらに短く構成した場合を示しており、三相母線１１との直交方向において、外線ケーブル接続部１８の位置をずらせている。すなわち、外線ケーブル接続部１８の位置が垂直方向に同一とならないようにしている。なお、このように
主回路モジュールが構成された主回路導体に流れる電流を計測するために、計器用変流器（図示せず）や計器用変流器と零相変流器を一体注型した複合形変流器（図示せず）が外線接続用導体１７の他方側Ｒ相１７ａ２，Ｓ相１７ｂ２，Ｔ相１７ｃ２の近傍に配置される。
【００３５】
次に動作について説明する。三相母線１１が上からＲ相１１ａ，Ｓ相１１ｂ，Ｔ相１１ｃの順番で垂直方向に配置し、真空遮断器１２が三相母線１１と平行に配置され、三相母線１１のＲ相１１ａ，Ｓ相１１ｂ，Ｔ相１１ｃと相対するよう上からＲ相１２ａ，Ｓ相１２ｂ，Ｔ相１２ｃの順番で垂直方向に配列している。真空遮断器１２のＲ相１２ａ，Ｓ相１２ｂ，Ｔ相１２ｃと三相母線１１のＲ相１１ａ，Ｓ相１１ｂ，Ｔ相１１ｃとを接触子１４と一次側導体１５とから構成される一次側接続体１３によりそれぞれ接続する。一次側接続体１３より短く構成され、真空遮断器１２のＲ相１２ａ，Ｓ相１２ｂ，Ｔ相１２ｃにＲ相，Ｓ相，Ｔ相がそれぞれ設けられた二次側接続体１６と三相母線１１と平行に配列され、上からＲ相１７ａ，Ｓ相１７ｂ，Ｔ相１７ｃの順番で垂直方向に配列された外線接続用導体１７の一方側Ｒ相１７ａ１，Ｓ相１７ｂ１，Ｔ相１７ｃ１とをそれぞれ接続する。そして、三相母線１１と直交する方向、すなわち、真空遮断器１２側に折曲された外線接続用導体１７の他方側Ｒ相１７ａ２，Ｓ相１７ｂ２，Ｔ相１７ｃ２が図示しない外線ケーブルに接続される。
【００３６】
以上のように、この実施の形態１によれば、上述した従来装置のような分岐導体を削減し、外線ケーブル接続部までの導体長を最短化することで母線から真空遮断器を通り外線ケーブルまでの１回路分の主回路長を最短化でき、装置の縮小化が図れるスイッチギヤを得ることができる。また、主回路で発生する発熱損失を著しく低減することができる。
【００３７】
また、外線接続用導体１７の他方側Ｒ相１７ａ２，Ｓ相１７ｂ２，Ｔ相１７ｃ２を三相母線１１と直交する方向、すなわち、真空遮断器１２側に折曲したことにより、盤幅方向ではなく、盤奥行方向に配置でき、盤幅寸法の縮小化を図ることができる。
【００３８】
また、外線接続用導体１７の他方側Ｒ相１７ａ２，Ｓ相１７ｂ２，Ｔ相１７ｃ２は同じ長さにすることもできるが、この実施の形態１においては、図７（ａ）〜（ｃ）からも明きらかなように、一番上側に位置する外線接続用導体１７の他方側のＲ相１７ａ２を一番長く構成し、Ｓ相１７ｂ２はＲ相１７ａ２より短く構成し、Ｔ相１７ｃ２はＳ相１７ｂ２よりさらに短く構成したことにより、三相母線１１との直交方向、すなわち、盤奥行方向において、外線ケーブル接続部１８の位置をずらせて、外線ケーブル接続部１８の位置が垂直方向に同一とならないようにしている。これにより、外線接続用導体１７の他方側Ｒ相１７ａ２，Ｓ相１７ｂ２，Ｔ相１７ｃ２と図示しない外線ケーブルとの接続作業が極めて容易に行うことができ、外線ケーブルの接続作業を著しく効率的に改善することができる。
【００３９】
ところで、図８はこの発明の実施の形態２における１回路あたりの主回路モジュールを収納したスイッチギヤの構成を示したが、このような主回路モジュールを垂直方向に複数段積層して配置するようにしてもよい。
【００４０】
実施の形態３.
この発明の実施の形態３を図９ないし図１５に基づいて説明する。図９はこの実施の形態３に係わるスイッチギヤの構成を示す斜視図である。図１０はこの発明の実施の形態３に係わるスイッチギヤにおける第１の主回路モジュールの要部を示す左側面図である。図１１はこの発明の実施の形態３に係わるスイッチギヤにおける第１の主回路モジュールの要部を示す右側面図である。図１２はこの発明の実施の形態３に係わるスイッチギヤにおける第２の主回路モジュールの要部を示す左側面図である。図１３はこの発明の実施の
形態３に係わるスイッチギヤにおける第２の主回路モジュールの要部を示す右側面図である。図１４はこの発明の実施の形態３に係わるスイッチギヤにおける第１の外部接続用導体を示す平面図である。図１５はこの発明の実施の形態３に係わるスイッチギヤにおける第２の外部接続用導体を示す平面図である。また、図は一例として、図示しない外線ケーブルが盤の下から引き込まれる構成の場合を示す。
【００４１】
これら各図において、２１は各相２１ａ，２１ｂ，２１ｃが垂直方向に配列された三相母線であり、盤内の三相母線２１自身の長さを短くするために、各相２１ａ，２１ｂ，２１ｃはそれぞれ盤幅方向に水平方向に配置しており、例えば、上からＲ相２１ａ，Ｓ相２１ｂ，Ｔ相２１ｃの順番で配置されている。２２は三相母線２１と平行に配置され、三相母線２１のＲ相２１ａ，Ｓ相２１ｂ，Ｔ相２１ｃと相対するよう上からＲ相２２ａ，Ｓ相２２ｂ，Ｔ相２２ｃの順番で垂直方向に配列された例えば真空遮断器からなる第１の遮断器（以下、第１の真空遮断器と称す）である。２３は第１の真空遮断器２２のＲ相２２ａ，Ｓ相２２ｂ，Ｔ相２２ｃにそれぞれ設けられ、第１の真空遮断器２２のＲ相２２ａ，Ｓ相２２ｂ，Ｔ相２２ｃと三相母線２１のＲ相２１ａ，Ｓ相２１ｂ，Ｔ相２１ｃとをそれぞれ接続する第１の一次側（電源側）接続体であり、直接三相母線２１のＲ相２１ａ，Ｓ相２１ｂ，Ｔ相２１ｃにそれぞれ接続される第１の接触子２４と、第１の真空遮断器２２のＲ相２２ａ，Ｓ相２２ｂ，Ｔ相２２ｃと各第１の接触子２４とをそれぞれ接続する第１の一次側導体２５とにより構成されている。
【００４２】
２６は第１の真空遮断器２２のＲ相２２ａ，Ｓ相２２ｂ，Ｔ相２２ｃにそれぞれ設けられ、第１の一次側接続体２３より短く構成された第１の二次側（負荷側）接続体であり、上からＲ相，Ｓ相，Ｔ相の順番で垂直方向に配列される。
【００４３】
２７は三相母線２１と平行に配列され、上からＲ相２７ａ，Ｓ相２７ｂ，Ｔ相２７ｃの順番で垂直方向に配列された第１の外線接続用導体であり、一方側Ｒ相２７ａ１，Ｓ相２７ｂ１，Ｔ相２７ｃ１が垂直方向に配列された第１の二次側接続体２６のＲ相，Ｓ相，Ｔ相にそれぞれ接続され、他方側Ｒ相２７ａ２，Ｓ相２７ｂ２，Ｔ相２７ｃ２が三相母線２１と直交する方向、すなわち、第１の真空遮断器２２側に折曲され、図示しない外線ケーブルに接続される。
【００４４】
また、第１の外線接続用導体２７の他方側Ｒ相２７ａ２，Ｓ相２７ｂ２，Ｔ相２７ｃ２は同じ長さにすることもできるが、図は一例として、一番上側に位置する第１の外線接続用導体２７の他方側のＲ相２７ａ２を一番長く構成し、Ｓ相２７ｂ２はＲ相２７ａ２より短く構成し、Ｔ相２７ｃ２はＳ相２７ｂ２よりさらに短く構成した場合を示しており、三相母線２１との直交方向において、第１の外線ケーブル接続部２８の位置をずらせている。すなわち、第１の外線ケーブル接続部２８の位置が垂直方向に同一とならないようにしている。なお、このように第１の主回路モジュールが構成された主回路導体に流れる電流を計測するために、計器用変流器（図示せず）や計器用変流器と零相変流器を一体注型した複合形変流器（図示せず）が第１の外線接続用導体２７の他方側Ｒ相２７ａ２，Ｓ相２７ｂ２，Ｔ相２７ｃ２の近傍に配置される。
【００４５】
３２は三相母線２１と平行でかつ第１の真空遮断器２２と三相母線２１を介して相対向して配置され、三相母線２１のＲ相２１ａ，Ｓ相２１ｂ，Ｔ相２１ｃと相対するよう上からＲ相３２ａ，Ｓ相３２ｂ，Ｔ相３２ｃの順番で垂直方向に配列された例えば真空遮断器からなる第２の遮断器（以下、第２の真空遮断器と称す）である。３３は第２の真空遮断器３２のＲ相３２ａ，Ｓ相３２ｂ，Ｔ相３２ｃにそれぞれ設けられ、第２の真空遮断器３２のＲ相３２ａ，Ｓ相３２ｂ，Ｔ相３２ｃと三相母線２１のＲ相２１ａ，Ｓ相２１ｂ，Ｔ相２１ｃとをそれぞれ接続する第２の一次側（電源側）接続体であり、直接三相母線２１のＲ相２１ａ，Ｓ相２１ｂ，Ｔ相２１ｃにそれぞれ接続される第２の接触子３４と、第２
の真空遮断器３２のＲ相３２ａ，Ｓ相３２ｂ，Ｔ相３２ｃと各第２の接触子３４とをそれぞれ接続する第２の一次側導体３５とにより構成されている。
【００４６】
３６は第２の真空遮断器３２のＲ相３２ａ，Ｓ相３２ｂ，Ｔ相３２ｃにそれぞれ設けられ、第２の一次側接続体３３より短く構成された第２の二次側（負荷側）接続体であり、上からＲ相，Ｓ相，Ｔ相の順番で垂直方向に配列される。
【００４７】
３７は三相母線２１と平行に配列され、上からＲ相３７ａ，Ｓ相３７ｂ，Ｔ相３７ｃ（図示はされていない）の順番で垂直方向に配列された第２の外線接続用導体であり、一方側Ｒ相３７ａ１，Ｓ相３７ｂ１，Ｔ相３７ｃ１が垂直方向に配列された第２の二次側接続体３６のＲ相，Ｓ相，Ｔ相にそれぞれ接続され、他方側Ｒ相３７ａ２，Ｓ相３７ｂ２，Ｔ相３７ｃ２が三相母線２１と直交する方向、すなわち、第２の真空遮断器３２側に折曲され、図示しない外線ケーブルに接続される。
【００４８】
また、第２の外線接続用導体３７の他方側Ｒ相３７ａ２，Ｓ相３７ｂ２，Ｔ相３７ｃ２は同じ長さにすることもできるが、図は一例として、一番上側に位置する第２の外線接続用導体３７の他方側のＲ相３７ａ２を一番長く構成し、Ｓ相３７ｂ２はＲ相３７ａ２より短く構成し、Ｔ相３７ｃ２はＳ相３７ｂ２よりさらに短く構成した場合を示しており、三相母線２１との直交方向において、第２の外線ケーブル接続部３８の位置をずらせている。すなわち、第２の外線ケーブル接続部３８の位置が垂直方向に同一とならないようにしている。なお、このように第２の主回路モジュールが構成された主回路導体に流れる電流を計測するために、計器用変流器（図示せず）や計器用変流器と零相変流器を一体注型した複合形変流器（図示せず）が第２の外線接続用導体３７の他方側Ｒ相３７ａ２，Ｓ相３７ｂ２，Ｔ相３７ｃ２の近傍に配置される。
【００４９】
次に動作について説明する。三相母線２１が上からＲ相２１ａ，Ｓ相２１ｂ，Ｔ相２１ｃの順番で垂直方向に配置し、第１の真空遮断器２２が三相母線２１と平行に配置され、三相母線２１のＲ相２１ａ，Ｓ相２１ｂ，Ｔ相２１ｃと相対するよう上からＲ相２２ａ，Ｓ相２２ｂ，Ｔ相２２ｃの順番で垂直方向に配列している。第１の真空遮断器２２のＲ相２２ａ，Ｓ相２２ｂ，Ｔ相２２ｃと三相母線２１のＲ相２１ａ，Ｓ相２１ｂ，Ｔ相２１ｃとを第１の接触子２４と第１の一次側導体２５とから構成される第１の一次側接続体２３によりそれぞれ接続する。第１の一次側接続体２３より短く構成され、第１の真空遮断器２２のＲ相２２ａ，Ｓ相２２ｂ，Ｔ相２２ｃにＲ相，Ｓ相，Ｔ相がそれぞれ設けられた第１の二次側接続体２６と三相母線２１と平行に配列され、上からＲ相２７ａ，Ｓ相２７ｂ，Ｔ相２７ｃの順番で垂直方向に配列された第１の外線接続用導体２７の一方側Ｒ相２７ａ１，Ｓ相２７ｂ１，Ｔ相２７ｃ１とをそれぞれ接続する。そして、三相母線２１と直交する方向、すなわち、第１の真空遮断器２２側に折曲された第１の外線接続用導体２７の他方側Ｒ相２７ａ２，Ｓ相２７ｂ２，Ｔ相２７ｃ２が図示しない外線ケーブルに接続される。
【００５０】
また、第２の真空遮断器３２が三相母線２１と平行でかつ第１の真空遮断器２２と三相母線２１を介して相対向して配置され、三相母線２１のＲ相２１ａ，Ｓ相２１ｂ，Ｔ相２１ｃと相対するよう上からＲ相３２ａ，Ｓ相３２ｂ，Ｔ相３２ｃの順番で垂直方向に配列している。第２の真空遮断器３２のＲ相３２ａ，Ｓ相３２ｂ，Ｔ相３２ｃと三相母線２１のＲ相２１ａ，Ｓ相２１ｂ，Ｔ相２１ｃとを第２の接触子３４と第２の一次側導体３５とから構成される第２の一次側接続体３３によりそれぞれ接続する。第２の一次側接続体３３より短く構成され、第２の真空遮断器３２のＲ相３２ａ，Ｓ相３２ｂ，Ｔ相３２ｃにＲ相，Ｓ相，Ｔ相がそれぞれ設けられた第２の二次側接続体３６と三相母線２１と平行に配列され、上からＲ相３７ａ，Ｓ相３７ｂ，Ｔ相３７ｃの順番で垂直方向に配列された第２の外線接続用導体３７の一方側Ｒ相３７ａ１，Ｓ相３７ｂ１，Ｔ相３７ｃ１とをそれぞれ
接続する。そして、三相母線２１と直交する方向、すなわち、第２の真空遮断器３２側に折曲された第２の外線接続用導体３７の他方側Ｒ相３７ａ２，Ｓ相３７ｂ２，Ｔ相３７ｃ２が図示しない外線ケーブルに接続される。
【００５１】
以上のように、この実施の形態３によれば、上述した従来装置のような分岐導体を削減し、外線ケーブル接続部までの導体長を最短化することで母線から真空遮断器を通り外線ケーブルまでの１回路分の主回路長を最短化でき、装置の縮小化が図れるスイッチギヤを得ることができる。また、主回路で発生する発熱損失を著しく低減することができる。
【００５２】
また、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２はそれぞれ同じ長さにすることもできるが、この実施の形態３においては、それぞれ一番上側に位置する第１の外線接続用導体２７の他方側のＲ相２７ａ２並びに第２の外線接続用導体３７の他方側Ｒ相３７ａ２を一番長く構成し、Ｓ相２７ｂ２並びにＳ相３７ｂ２はＲ相２７ａ２、Ｒ相３７ａ２よりそれぞれ短く構成し、Ｔ相２７ｃ２並びに３７ｃ２はＳ相２７ｂ２、Ｓ相３７ｂ２よりそれぞれさらに短く構成したことにより、三相母線２１との直交方向において、第１の外線ケーブル接続部２８並びに第２の外線ケーブル接続部３８の位置をずらせて、第１の外線ケーブル接続部２８並びに第２の外線ケーブル接続部３８の位置が垂直方向に同一とならないようにしている。これにより、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２と図示しない外線ケーブルとの接続作業が極めて容易に行うことができ、外線ケーブルの接続作業を著しく効率的に改善することができる。
【００５３】
また、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２をそれぞれ三相母線２１と直交する方向、すなわち、第１の真空遮断器２２、第２の真空遮断器３２側に折曲したことにより、盤幅方向ではなく、盤奥行方向に配置でき、盤幅寸法の縮小化を図ることができる。
【００５４】
ところで、この実施の形態３においては、図９から明らかなように、第１の真空遮断器２２、第１の一次側接続体２３、第１の二次側接続体２６、第１の外線接続用導体２７から構成される第１の主回路モジュールと、第２の真空遮断器３２、第２の一次側接続体３３、第２の二次側接続体３６、第２の外線接続用導体３７から構成される第２の主回路モジュールとは同一構成の主回路モジュールであり、同一の三相母線２１を挟んで前後方向に相対向して配置され、同一の三相母線２１にそれぞれ接続する構造とすることで、必要な外線ケーブルの端末距離寸法によって、第１の外線ケーブル接続部２８、第２の外線ケーブル接続部３８の高さ方向の位置が決まるため、盤の高さ方向の寸法を上述した従来装置よりも縮小化することができる。
【００５５】
このように、盤の前後方向からのアクセスが可能な配置で盤幅を縮小する場合に有効であることは勿論のことである。また、スイッチギヤの１面に２回路の主回路モジュールを収納する場合、第１の主回路モジュール、第２の主回路モジュールを前後方向から同一の三相母線２１に接続する構造とすることにより、スイッチギヤの盤高さを抑える事が出来ると共に、無駄な導体がないことにより、奥行き寸法の縮小化も図ることができる。
【００５６】
実施の形態４.
なお、上述した実施の形態３おいては、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２をそれぞれ三相母線２１と直交する方向、すなわち、第１
の真空遮断器２２、第２の真空遮断器３２側に折曲した場合について述べたが、これに限定されるものではなく、この発明の実施の形態４においては、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２をそれぞれ上述した実施の形態１に示す外線接続用導体１７の他方側Ｒ相１７ａ２，Ｓ相１７ｂ２，Ｔ相１７ｃ２と同様に三相母線２１の伸長方向に伸張させてもよいことは勿論のことである。
【００５７】
実施の形態５.
この発明の実施の形態５を図１６ないし図１９に基づいて説明する。図１６はこの実施の形態３に係わるスイッチギヤの構成を示す斜視図である。図１７はこの発明の実施の形態５に係わるスイッチギヤにおける第２の主回路モジュールの要部を示す左側面図である。図１８はこの発明の実施の形態５に係わるスイッチギヤにおける第２の主回路モジュールの要部を示す右側面図である。図１９はこの発明の実施の形態５に係わるスイッチギヤにおける第２の外部接続用導体を示す平面図である。また、図は一例として、図示しない外線ケーブルが盤の下から引き込まれる構成の場合を示す。
【００５８】
これら各図において、２１は各相２１ａ，２１ｂ，２１ｃが垂直方向に配列された三相母線であり、盤内の三相母線２１自身の長さを短くするために、各相２１ａ，２１ｂ，２１ｃはそれぞれ盤幅方向に水平方向に配置しており、例えば、上からＲ相２１ａ，Ｓ相２１ｂ，Ｔ相２１ｃの順番で配置されている。２２は三相母線２１と平行に配置され、三相母線２１のＲ相２１ａ，Ｓ相２１ｂ，Ｔ相２１ｃと相対するよう上からＲ相２２ａ，Ｓ相２２ｂ，Ｔ相２２ｃの順番で垂直方向に配列された第１の遮断器であり、例えば真空遮断器からなる。２３は第１の真空遮断器２２のＲ相２２ａ，Ｓ相２２ｂ，Ｔ相２２ｃにそれぞれ設けられ、第１の真空遮断器２２のＲ相２２ａ，Ｓ相２２ｂ，Ｔ相２２ｃと三相母線２１のＲ相２１ａ，Ｓ相２１ｂ，Ｔ相２１ｃとをそれぞれ接続する第１の一次側（電源側）接続体であり、直接三相母線２１のＲ相２１ａ，Ｓ相２１ｂ，Ｔ相２１ｃにそれぞれ接続される第１の接触子２４と、第１の真空遮断器２２のＲ相２２ａ，Ｓ相２２ｂ，Ｔ相２２ｃと各第１の接触子２４とをそれぞれ接続する第１の一次側導体２５とにより構成されている。
【００５９】
２６は第１の真空遮断器２２のＲ相２２ａ，Ｓ相２２ｂ，Ｔ相２２ｃにそれぞれ設けられ、第１の一次側接続体２３より短く構成された第１の二次側（負荷側）接続体であり、符号は図示していないが上からＲ相，Ｓ相，Ｔ相の順番で垂直方向に配列される。
【００６０】
２７は三相母線２１と平行に配列され、上からＲ相２７ａ，Ｓ相２７ｂ，Ｔ相２７ｃの順番で垂直方向に配列された第１の外線接続用導体であり、一方側Ｒ相２７ａ１，Ｓ相２７ｂ１，Ｔ相２７ｃ１が垂直方向に配列された第１の二次側接続体２６のＲ相，Ｓ相，Ｔ相にそれぞれ接続され、他方側Ｒ相２７ａ２，Ｓ相２７ｂ２，Ｔ相２７ｃ２が三相母線２１と直交する方向、すなわち、第１の真空遮断器２２側に折曲され、図示しない外線ケーブルに接続される。
【００６１】
また、第１の外線接続用導体２７の他方側Ｒ相２７ａ２，Ｓ相２７ｂ２，Ｔ相２７ｃ２は同じ長さにすることもできるが、図は一例として、一番上側に位置する第１の外線接続用導体２７の他方側のＲ相２７ａ２を一番長く構成し、Ｓ相２７ｂ２はＲ相２７ａ２より短く構成し、Ｔ相２７ｃ２はＳ相２７ｂ２よりさらに短く構成した場合を示しており、三相母線２１との直交方向において、第１の外線ケーブル接続部２８の位置をずらせている。すなわち、第１の外線ケーブル接続部２８の位置が垂直方向に同一とならないようにしている。なお、このように第１の主回路モジュールが構成された主回路導体に流れる電流を計測するために、計器用変流器（図示せず）や計器用変流器と零相変流器を一体注型した複合形変流器（図示せず）が第１の外線接続用導体２７の他方側Ｒ相２７ａ２，Ｓ相２
７ｂ２，Ｔ相２７ｃ２の近傍に配置される。
【００６２】
４２は三相母線２１と平行でかつ三相母線２１の伸長方向に第１の真空遮断器２２と同列方向に配置され、三相母線２１のＲ相２１ａ，Ｓ相２１ｂ，Ｔ相２１ｃと相対するよう上からＲ相４２ａ，Ｓ相４２ｂ，Ｔ相４２ｃの順番で垂直方向に配列された例えば真空遮断器からなる第２の遮断器（以下、第２の真空遮断器と称す）である。４３は第２の真空遮断器４２のＲ相４２ａ，Ｓ相４２ｂ，Ｔ相４２ｃにそれぞれ設けられ、第２の真空遮断器４２のＲ相４２ａ，Ｓ相４２ｂ，Ｔ相４２ｃと三相母線２１のＲ相２１ａ，Ｓ相２１ｂ，Ｔ相２１ｃとをそれぞれ接続する第２の一次側（電源側）接続体であり、直接三相母線２１のＲ相２１ａ，Ｓ相２１ｂ，Ｔ相２１ｃにそれぞれ接続される第２の接触子４４と、第２の真空遮断器４２のＲ相４２ａ，Ｓ相４２ｂ，Ｔ相４２ｃと各第２の接触子３４とをそれぞれ接続する第２の一次側導体４５とにより構成されている。
【００６３】
４６は第２の真空遮断器４２のＲ相４２ａ，Ｓ相４２ｂ，Ｔ相４２ｃにそれぞれ設けられ、第２の一次側接続体４３より短く構成された第２の二次側（負荷側）接続体であり、上からＲ相，Ｓ相，Ｔ相の順番で垂直方向に配列される。
【００６４】
４７は三相母線２１と平行に配列され、上からＲ相４７ａ，Ｓ相４７ｂ，Ｔ相４７ｃの順番で垂直方向に配列された第２の外線接続用導体であり、一方側Ｒ相４７ａ１，Ｓ相４７ｂ１，Ｔ相４７ｃ１が垂直方向に配列された第２の二次側接続体４６のＲ相，Ｓ相，Ｔ相にそれぞれ接続され、他方側Ｒ相４７ａ２，Ｓ相４７ｂ２，Ｔ相４７ｃ２が三相母線２１と直交する方向、すなわち、第２の真空遮断器４２側に折曲され、図示しない外線ケーブルに接続される。
【００６５】
また、第２の外線接続用導体４７の他方側Ｒ相４７ａ２，Ｓ相４７ｂ２，Ｔ相４７ｃ２は同じ長さにすることもできるが、図は一例として、一番上側に位置する第２の外線接続用導体４７の他方側のＲ相４７ａ２を一番長く構成し、Ｓ相４７ｂ２はＲ相４７ａ２より短く構成し、Ｔ相４７ｃ２はＳ相４７ｂ２よりさらに短く構成した場合を示しており、三相母線２１との直交方向において、第２の外線ケーブル接続部４８の位置をずらせている。すなわち、第２の外線ケーブル接続部４８の位置が垂直方向に同一とならないようにしている。なお、このように第２の主回路モジュールが構成された主回路導体に流れる電流を計測するために、計器用変流器（図示せず）や計器用変流器と零相変流器を一体注型した複合形変流器（図示せず）が第２の外線接続用導体４７の他方側Ｒ相４７ａ２，Ｓ相４７ｂ２，Ｔ相４７ｃ２の近傍に配置される。
【００６６】
次に動作について説明する。三相母線２１が上からＲ相２１ａ，Ｓ相２１ｂ，Ｔ相２１ｃの順番で垂直方向に配置し、第１の真空遮断器２２が三相母線２１と平行に配置され、三相母線２１のＲ相２１ａ，Ｓ相２１ｂ，Ｔ相２１ｃと相対するよう上からＲ相２２ａ，Ｓ相２２ｂ，Ｔ相２２ｃの順番で垂直方向に配列している。第１の真空遮断器２２のＲ相２２ａ，Ｓ相２２ｂ，Ｔ相２２ｃと三相母線２１のＲ相２１ａ，Ｓ相２１ｂ，Ｔ相２１ｃとを第１の接触子２４と第１の一次側導体２５とから構成される第１の一次側接続体２３によりそれぞれ接続する。第１の一次側接続体２３より短く構成され、第１の真空遮断器２２のＲ相２２ａ，Ｓ相２２ｂ，Ｔ相２２ｃにＲ相，Ｓ相，Ｔ相がそれぞれ設けられた第１の二次側接続体２６と三相母線２１と平行に配列され、上からＲ相２７ａ，Ｓ相２７ｂ，Ｔ相２７ｃの順番で垂直方向に配列された第１の外線接続用導体２７の一方側Ｒ相２７ａ１，Ｓ相２７ｂ１，Ｔ相２７ｃ１とをそれぞれ接続する。そして、三相母線２１と直交する方向、すなわち、第１の真空遮断器２２側に折曲された第１の外線接続用導体２７の他方側Ｒ相２７ａ２，Ｓ相２７ｂ２，Ｔ相２７ｃ２が図示しない外線ケーブルに接続される。
【００６７】
また、第２の真空遮断器４２が三相母線２１と平行でかつ三相母線２１の伸長方向に第１の真空遮断器２２と同列方向に配置され、三相母線２１のＲ相２１ａ，Ｓ相２１ｂ，Ｔ相２１ｃと相対するよう上からＲ相４２ａ，Ｓ相４２ｂ，Ｔ相４２ｃの順番で垂直方向に配列している。第２の真空遮断器４２のＲ相４２ａ，Ｓ相４２ｂ，Ｔ相４２ｃと三相母線２１のＲ相２１ａ，Ｓ相２１ｂ，Ｔ相２１ｃとを第２の接触子４４と第２の一次側導体４５とから構成される第２の一次側接続体４３によりそれぞれ接続する。第２の一次側接続体４３より短く構成され、第２の真空遮断器４２のＲ相４２ａ，Ｓ相４２ｂ，Ｔ相４２ｃにＲ相，Ｓ相，Ｔ相がそれぞれ設けられた第２の二次側接続体４６と三相母線２１と平行に配列され、上からＲ相４７ａ，Ｓ相４７ｂ，Ｔ相４７ｃの順番で垂直方向に配列された第２の外線接続用導体４７の一方側Ｒ相４７ａ１，Ｓ相４７ｂ１，Ｔ相４７ｃ１とをそれぞれ接続する。そして、三相母線２１と直交する方向、すなわち、第２の真空遮断器４２側に折曲された第２の外線接続用導体４７の他方側Ｒ相４７ａ２，Ｓ相４７ｂ２，Ｔ相４７ｃ２が図示しない外線ケーブルに接続される。
【００６８】
以上のように、この実施の形態５によれば、上述した従来装置のような分岐導体を削減し、外線ケーブル接続部までの導体長を最短化することで母線から真空遮断器を通り外線ケーブルまでの１回路分の主回路長を最短化でき、装置の縮小化が図れるスイッチギヤを得ることができる。また、主回路で発生する発熱損失を著しく低減することができる。
【００６９】
また、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２はそれぞれ同じ長さにすることもできるが、この実施の形態５においては、それぞれ一番上側に位置する第１の外線接続用導体２７の他方側のＲ相２７ａ２並びに第２の外線接続用導体４７の他方側Ｒ相４７ａ２を一番長く構成し、Ｓ相２７ｂ２並びにＳ相４７ｂ２はＲ相２７ａ２、Ｒ相４７ａ２よりそれぞれ短く構成し、Ｔ相２７ｃ２並びに４７ｃ２はＳ相２７ｂ２、Ｓ相４７ｂ２よりそれぞれさらに短く構成したことにより、三相母線２１との直交方向において、第１の外線ケーブル接続部２８並びに第２の外線ケーブル接続部４８の位置をずらせて、第１の外線ケーブル接続部２８並びに第２の外線ケーブル接続部４８の位置が垂直方向に同一とならないようにしている。これにより、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２と図示しない外線ケーブルとの接続作業が極めて容易に行うことができ、外線ケーブルの接続作業を著しく効率的に改善することができる。
【００７０】
また、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２をそれぞれ三相母線２１と直交する方向、すなわち、第１の真空遮断器２２、第２の真空遮断器４２側に折曲したことにより、盤幅方向ではなく、盤奥行方向に配置でき、盤幅寸法の縮小化を図ることができる。
【００７１】
ところで、この実施の形態５においては、図１６から明らかなように、第１の真空遮断器２２、第１の一次側接続体２３、第１の二次側接続体２６、第１の外線接続用導体２７から構成される第１の主回路モジュールと、第２の真空遮断器４２、第２の一次側接続体４３、第２の二次側接続体４６、第２の外線接続用導体４７から構成される第２の主回路モジュールとは同一構成の主回路モジュールであり、同一の三相母線２１の伸長方向に左右に同列方向に配置され、同一の三相母線２１にそれぞれ接続する構造とすることで、必要な外線ケーブルの端末距離寸法によって、第１の外線ケーブル接続部２８、第２の外線ケーブル接続部４８の高さ方向の位置が決まるため、盤の高さ方向の寸法を上述した従来装置よりも縮小化することができる。
【００７２】
このように、三相母線２１の伸長方向に二つの主回路モジュールを配置したことにより、盤の同一方向からのアクセスが可能な配置で盤の奥行き幅を縮小する場合に有効であることは勿論のことである。また、スイッチギヤの１面に２回路の主回路モジュールを収納する場合、第１の主回路モジュール、第２の主回路モジュールを三相母線２１の伸長方向に左右の同列方向に配置して同一の三相母線２１に接続する構造とすることにより、スイッチギヤの盤高さを抑える事が出来ると共に、盤の前方向からのアクセスのみの配置で盤の奥行き寸法を著しく縮小することができる。また、これらに伴い、エレベータ搬入や電気室までの通路や扉などの制約を満足して、搬入性が改善され、工事期間の短縮、工事費の削減につながるという効果を奏する。
【００７３】
実施の形態６.
なお、上述した実施の形態５おいては、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２をそれぞれ三相母線２１と直交する方向、すなわち、第１の真空遮断器２２、第２の真空遮断器４２側に折曲した場合について述べたが、これに限定されるものではなく、この発明の実施の形態６においては、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２をそれぞれ上述した実施の形態１に示す外線接続用導体１７の他方側Ｒ相１７ａ２，Ｓ相１７ｂ２，Ｔ相１７ｃ２と同様に三相母線２１の伸長方向に伸張させてもよいことは勿論のことである。
【００７４】
実施の形態７.
この発明の実施の形態７を図２０に基づいて説明する。図２０から明らかなように、この実施の形態７においては、上述した実施の形態３に示す構成を垂直方向に複数段、例えば、２段積に配置したものであり、スイッチギヤの１面に多数回路、例えば、４回路を収納することができる。この構成により、１面あたりの集積効率を上げ、必要盤面数の削減により設置スペースの縮小化を図ることが可能となる。これにより、電気室自身の寸法を小さくすることができ、空いたスペースを他の目的に利用することができる。あるいは、電気室の空きスペースを利用して、先にこのスイッチギヤを配列しておき、既設のスイッチギヤを撤去すると同時に外線ケーブルを付け直すことにより、更新工事の期間短縮につながる。
【００７５】
また、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２をそれぞれ三相母線２１と直交する方向、すなわち、第１の真空遮断器２２、第２の真空遮断器３２側に折曲した場合について述べたが、これに限定されるものではなく、この発明の実施の形態４においては、第１の外線接続用導体２７の他方側Ｒ相２７ａ２，Ｓ相２７ｂ２，Ｔ相２７ｃ２並びに第２の外線接続用導体３７の他方側Ｒ相３７ａ２，Ｓ相３７ｂ２，Ｔ相３７ｃ２をそれぞれ上述した実施の形態１に示す外線接続用導体１７の他方側Ｒ相１７ａ２，Ｓ相１７ｂ２，Ｔ相１７ｃ２と同様に三相母線２１の伸長方向に伸張させてもよいことは勿論のことである。
【００７６】
実施の形態８.
この発明の実施の形態８を図２１に基づいて説明する。図２１から明らかなように、この実施の形態８においては、上述した実施の形態５に示す構成を垂直方向に複数段、例えば、２段積に配置したものであり、スイッチギヤの１面に多数回路、例えば、４回路を収納することができる。この構成により、１面あたりの集積効率を上げ、必要盤面数の削減により設置スペースの縮小化を図ることが可能となる。これにより、電気室自身の寸法を小さくすることができ、空いたスペースを他の目的に利用することができる。あるいは、電気室の空きスペースを利用して、先にこのスイッチギヤを配列しておき、既設のスイッ
チギヤを撤去すると同時に外線ケーブルを付け直すことにより、更新工事の期間短縮につながる。
【００７７】
また、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２をそれぞれ三相母線２１と直交する方向、すなわち、第１の真空遮断器２２、第２の真空遮断器４２側に折曲した場合について述べたが、これに限定されるものではなく、この発明の実施の形態６においては、第１の外線接続用導体２７の他方側Ｒ相２７ａ２，Ｓ相２７ｂ２，Ｔ相２７ｃ２並びに第２の外線接続用導体４７の他方側Ｒ相４７ａ２，Ｓ相４７ｂ２，Ｔ相４７ｃ２をそれぞれ上述した実施の形態１に示す外線接続用導体１７の他方側Ｒ相１７ａ２，Ｓ相１７ｂ２，Ｔ相１７ｃ２と同様に三相母線２１の伸長方向に伸張させてもよいことは勿論のことである。
【産業上の利用可能性】
【００７８】
この発明は、例えば引出形遮断器のような引出機器を収納するスイッチギヤに関するものであり、装置の縮小化の実現に好適である。
【符号の説明】
【００７９】
１１  三相母線                        １２  真空遮断器
１３  一次側接続体                    １６  二次側接続体
１７  外線接続用導体                  ２１  三相母線
２２  第１の真空遮断器                ２３  第１の一次側接続体
２６  第１の二次側接続体              ２７  第１の外線接続用導体
３２  第２の真空遮断器                ３３  第２の一次側接続体
３６  第２の二次側接続体              ３７  第２の外線接続用導体
４２  第２の真空遮断器                ４３  第２の一次側接続体
４６  第２の二次側接続体              ４７  第２の外線接続用導体
【図１】
2010213532.tif 000003
【図２】
2010213532.tif 000004
【図３】
2010213532.tif 000005
【図４】
2010213532.tif 000006
【図５】
2010213532.tif 000007
【図６】
2010213532.tif 000008
【図７】
2010213532.tif 000009
【図８】
2010213532.tif 000010
【図９】
2010213532.tif 000011
【図１０】
2010213532.tif 000012
【図１１】
2010213532.tif 000013
【図１２】
2010213532.tif 000014
【図１３】
2010213532.tif 000015
【図１４】
2010213532.tif 000016
【図１５】
2010213532.tif 000017
【図１６】
2010213532.tif 000018
【図１７】
2010213532.tif 000019
【図１８】
2010213532.tif 000020
【図１９】
2010213532.tif 000021
【図２０】
2010213532.tif 000022
【図２１】
2010213532.tif 000023
【図２２】
2010213532.tif 000024
【図２３】
2010213532.tif 000025